(57)【要約】      （修正有）【課題】より冷却効果を高めることができる冷風扇風機を提供する。【解決手段】保冷具３により冷却された空気を送風する冷風扇風機１は、保冷具を収容するとともに、この保冷具の周囲に配置された冷却路１２１を有するケース１０と、冷却路を通過した空気を外部へ放出する送風ファン１１と、を備える。冷却路は、ケースのケース本体１２の上部側に設けられ、外部から空気を取り込む吸気口１２４と、吸気口に流入した空気をケース本体の底面側まで導く冷却往路１２５と、冷却往路によってケース本体の底面側まで導かれた空気をケース本体の上部側まで導く少なくとも一つの冷却復路１２６と、を有する。送風ファンは、冷却復路から放出された空気を外部へ放出する。【選択図】図３
0003234243.tif 000002
【実用新案登録請求の範囲】
【請求項１】
保冷具により冷却された空気を送風する冷風扇風機であって、
前記保冷具を収容するとともに、収容された前記保冷具の周囲に配置された冷却路を有するケースと、
前記冷却路を通過した空気を外部へ放出する送風機と、を備え、
前記冷却路は、
前記ケースの上部側に設けられ、外部から空気を取り込む吸気口と、
前記吸気口に流入した空気を前記ケースの底面側まで導く冷却往路と、
前記冷却往路によって前記ケースの底面側まで導かれた空気を前記ケースの上部側まで導く少なくとも一つの冷却復路と、を有し、
前記送風機は、
前記冷却復路から放出された空気を外部へ放出する
ことを特徴とする冷風扇風機。
【請求項２】
複数の保冷具により冷却された空気を送風する冷風扇風機であって、
前記複数の保冷具を厚さ方向に並べて収容するとともに、収容された前記複数の保冷具各々の周囲に配置された冷却路を有するケースと、
前記冷却路を通過した空気を外部へ放出する送風機と、を備え、
前記冷却路は、
前記保冷具の周囲に沿って前記ケース内の互いに対向する一方の壁面側から他方の壁面側に向けて空気を導く冷却往路と、前記保冷具の周囲に沿って前記他方の壁面側から前記一方の壁面側に向けて空気を導く冷却復路とが、前記保冷具の並び方向に交互に配置されて、隣接する前記冷却往路および前記冷却復路間が接続され、
最も上流側に配置された前記冷却往路の吸気側に位置する前記ケースの側面に、外部から空気を取り込む吸気口を有し、
前記送風機は、
最も下流側に配置された前記冷却往路あるいは前記冷却復路から放出された空気を外部へ放出する
ことを特徴とする冷風扇風機。
【請求項３】
請求項１または２に記載の冷風扇風機であって、
前記冷却往路および前記冷却復路の少なくとも一方に配置された金属製のメッシュ構造体をさらに有する
ことを特徴とする冷風扇風機。
【請求項４】
請求項１ないし３のいずれか一項に記載の冷風扇風機であって、
前記冷却往路および前記冷却復路は、ポリウレタンフォーム材を用いて形成されている
ことを特徴とする冷風扇風機。
【考案の詳細な説明】
【技術分野】
【０００１】
本考案は、保冷具により冷却された空気を送風する冷風扇風機に関する。
【背景技術】
【０００２】
従来、空調設備より省電力かつ経済的で、扇風機より効果的に冷却できる冷風扇風機が知られている。冷風扇風機は、水、氷、アイスパック等の吸熱体または冷却剤を内蔵した保冷具により冷却された空気を送風機により送風する。
【０００３】
例えば、特許文献１には、送風機と、送風機の風下に設置された冷却材スタンドと、冷却材スタンドを収容するとともに、送風機側に設けられた吸気口および冷却材スタンドを介して吸気口の反対側に設けられた排気口を有するケースと、備えた冷風扇風機が開示されている。この冷風扇風機によれば、送風機によって、空気がケースの吸気口からケース内に送り込まれ、冷却スタンドに保持された冷却材（保冷具）により冷却される。その後、冷却材により冷却された空気がケースの排気口から外部へ放出される。
【先行技術文献】
【特許文献】
【０００４】
【特許文献１】実用新案登録第３１７０７０２号公報
【考案の概要】
【考案が解決しようとする課題】
【０００５】
しかしながら、特許文献１に記載の冷風扇風機は、送風機によって、強制的に、空気をケースの吸気口に流入させて冷却スタンドに保持された冷却材の付近を通過させ、ケースの排気口から外部へ放出する。このため、空気がケースの吸気口に流入してからケースの排気口から排出されるまでのケース内での滞在時間が短く、ケース内の空気を冷却材で十分に冷却することができない。
【０００６】
本考案は、上記事情に鑑みてなされたものであり、その目的は、より冷却効果を高めることができる冷風扇風機を提供することにある。
【課題を解決するための手段】
【０００７】
上記課題を解決するために、本考案の第１の態様では、ケースに収容された保冷具の周囲に冷却路を配置し、冷却路を通過した空気を送風機により外部へ放出する。冷却路は、ケースの上部側に設けられ、外部から空気を取り込む吸気口と、この吸気口に流入した空気をケースの底面側まで導く冷却往路と、冷却往路によってケースの底面側まで導かれた空気をケースの上部側まで導く少なくとも一つの冷却復路と、を有する。
【０００８】
例えば、本考案の第１の態様は、
保冷具により冷却された空気を送風する冷風扇風機であって、
前記保冷具を収容するとともに、収容された前記保冷具の周囲に配置された冷却路を有するケースと、
前記冷却路を通過した空気を外部へ放出する送風機と、を備え、
前記冷却路は、
前記ケースの上部側に設けられ、外部から空気を取り込む吸気口と、
前記吸気口に流入した空気を前記ケースの底面側まで導く冷却往路と、
前記冷却往路によって前記ケースの底面側まで導かれた空気を前記ケースの上部側まで導く少なくとも一つの冷却復路と、を有し、
前記送風機は、
前記冷却復路から放出された空気を外部へ放出する。
【０００９】
また、本考案の第２の態様では、厚さ方向に並べて収容された複数の保冷具各々の周囲に冷却路を配置し、冷却路を通過した空気を送風機により外部へ放出する。冷却路は、保冷具の周囲に沿ってケース内の互いに対向する一方の壁面側から他方の壁面側に向けて空気を導く冷却往路と、保冷具の周囲に沿ってケース内の互いに対向する他方の壁面側から一方の壁面側に向けて空気を導く冷却復路とが、保冷具の並び方向に交互に配置されて隣接する冷却往路および冷却復路間が接続され、ケースの側面の吸気口から、最も上流側に配置された冷却往路の吸気側に外部の空気を取り込む。
【００１０】
例えば、本考案の第２の態様は、
複数の保冷具により冷却された空気を送風する冷風扇風機であって、
前記複数の保冷具を厚さ方向に並べて収容するとともに、収容された前記複数の保冷具各々の周囲に配置された冷却路を有するケースと、
前記冷却路を通過した空気を外部へ放出する送風機と、を備え、
前記冷却路は、
前記保冷具の周囲に沿って前記ケース内の互いに対向する一方の壁面側から他方の壁面側に向けて空気を導く冷却往路と、前記保冷具の周囲に沿って前記他方の壁面側から前記一方の壁面側に向けて空気を導く冷却復路とが、前記保冷具の並び方向に交互に配置されて、隣接する前記冷却往路および前記冷却復路間が接続され、
最も上流側に配置された前記冷却往路の吸気側に位置する前記ケースの側面に、外部から空気を取り込む吸気口を有し、
前記送風機は、
最も下流側に配置された前記冷却往路あるいは前記冷却復路から放出された空気を外部へ放出する。
【００１１】
なお、本考案の各態様において、冷却往路および冷却復路の少なくとも一方に、金属製のメッシュ構造体を配置してもよい。また、冷却往路および冷却復路を、ポリウレタンフォーム材を用いて形成してもよい。
【考案の効果】
【００１２】
本考案の第一の態様では、ケースに収容された保冷具の周囲に配置された冷却路を、ケースの上下方向に空気が往復するように配置することにより、この冷却路をケースの高さより長くすることができるので、冷却路を通過する空気を十分に冷却して送風機により外部へ放出することができる。また、本考案の第二の態様では、厚さ方向に並べて収容された複数の保冷具各々の周囲に配置された冷却路がケース内の互いに対向する壁面間を複数回往復することにより、この冷却路をケースの幅より長くすることができるので、冷却路を通過する空気を十分に冷却して送風機により外部へ放出することができる。このように、本考案によれば、冷風扇風機の冷却効果をより高めることができる。
【図面の簡単な説明】
【００１３】
【図１】図１（Ａ）、図１（Ｂ）、および図１（Ｃ）は、本考案の第一実施の形態に係る冷風扇風機１の正面図、側面図、および背面図である。
【図２】図２（Ａ）は、図１（Ａ）に示す冷風扇風機１のＡ−Ａ断面図であり、図２（Ｂ）は、図２（Ａ）に示す冷風扇風機１から送風ファン１１を省略した図であり、図２（Ｃ）は、図１（Ａ）に示す冷風扇風機１のＢ−Ｂ断面図である。
【図３】図３（Ａ）は、本考案の第一実施の形態に係る冷風扇風機１の蓋１３を開けた状態を示す図であり、図３（Ｂ）は、この冷風扇風機１の動作時における空気の流れを説明するための図である。
【図４】図４（Ａ）、図４（Ｂ）、および図４（Ｃ）は、本考案の第二実施の形態に係る冷風扇風機２の上面図、正面図、および背面図である。
【図５】図５（Ａ）は、図４（Ａ）に示す冷風扇風機２のＣ−Ｃ断面図であり、図５（Ｂ）は、図５（Ａ）に示す冷風扇風機２から送風ファン２１を省略した図であり、図５（Ｃ）は、図４（Ｂ）に示す冷風扇風機２のＤ−Ｄ断面図である。
【図６】図６（Ａ）は、本考案の第二実施の形態に係る冷風扇風機２の蓋２３を開けた状態を示す図であり、図６（Ｂ）は、この冷風扇風機２の動作時における空気の流れを説明するための図である。
【考案を実施するための形態】
【００１４】
以下に、本考案の実施の形態について図面を参照して説明する。
【００１５】
［第１実施の形態］
まず、本考案の第１実施の形態について説明する。
【００１６】
図１（Ａ）、図１（Ｂ）、および図１（Ｃ）は、本実施の形態に係る冷風扇風機１の正面図、側面図、および背面図である。また、図２（Ａ）は、図１（Ａ）に示す冷風扇風機１のＡ−Ａ断面図であり、図２（Ｂ）は、図２（Ａ）に示す冷風扇風機１から送風ファン１１を省略した図であり、図２（Ｃ）は、図１（Ａ）に示す冷風扇風機１のＢ−Ｂ断面図である。
【００１７】
本実施に係る冷風扇風機１は、凍結した飲料水入りペットボトル等のボトル型の保冷具３（図３（Ｂ）参照）により冷却された空気を送風する携帯型冷風扇風機であり、図示するように、保冷具３を収容するための例えば円筒型のケース１０と、保冷具３により冷却されたケース１０内の空気を外部へ放出するための充電式の送風ファン１１と、を備える。
【００１８】
ケース１０は、上部が開口した底付き円筒型のケース本体１２と、ヒンジ１４によってケース本体１２の開口を開閉可能に取り付けられた蓋１３（図３（Ａ）参照）と、を有する。
【００１９】
ケース本体１２は、保冷具３を収容する収容室１２０と、収容室１２０の周囲に配置された冷却路１２１と、を有する。
【００２０】
収容室１２０は、ケース本体１２の内周面に周方向に適当な間隔で複数取り付けられた板状の第１弾性部材１２２と、隣接する第１弾性部材１２２の隙間を埋めるようにケース本体１２の内周面に取り付けられた三角柱状の第２弾性部材１２３と、を有する。ケース本体１２の内周面に、周方向に交互に配置された第１弾性部材１２２および第２弾性部材１２３をライナーとして設けることにより、収容室１２０に収容された保冷具３の外径に合わせて収容室１２０が変形するので、異なる外径の保冷具３をガタツキなく収容室１２０に収容することができる。
【００２１】
なお、第１弾性部材１２２および第２弾性部材１２３には、例えばポリウレタンフォーム材が用いられる。この場合、第１弾性部材１２２に反発弾性率（５０［ｃｍ］の高さから厚さ５［ｃｍ］以上の試験片に硬球を落として、跳ね返ってきた高さをＨ［ｃｍ］とした場合、反発弾性率［％］は、（Ｈ／５０）×１００で表される）が１５［％］以下のいわゆる低反発ポリウレタンフォーム材を用い、第２弾性部材１２３に反発弾性率が５０［％］以上のいわゆる高反発ポリウレタンフォーム材を用いるとよい。このようにすることにより、保冷具３を収容室１２０に出し入れする際に、保冷具３に回転力が加わっても、隣接する第１弾性部材１２２間に配置された第２弾性部材１２３によって、第１弾性部材１２２が位置ずれを起こすのを防止することができる。
【００２２】
冷却路１２１は、ケース本体１２の上部（蓋１３側）に設けられ、外部から空気を取り込む吸気口１２４と、ケース本体１２の内周面と吸気口１２４に対向する第１弾性部材１２２との間に形成され、吸気口１２４から流入した空気をケース本体１２の底面側まで導く冷却往路１２５と、収容室１２０に保冷具３が収容された場合に保冷具３と第１弾性部材１２２との間に配置され、冷却往路１２５によってケース本体１２の底面側まで導かれた空気をケース本体１２の上部側まで導く冷却復路１２６と、を有する。ここでは、冷却復路１２６は、冷却往路１２５を形成する第１弾性部材１２２以外の第１弾性部材１２２の内壁にアルミニウム、銅等の金属製のメッシュ構造体を配置することにより形成されている。このような金属製のメッシュ構造体として、例えば、東亜鉄網株式会社の製品「アキュームヒートシンク（商標）」を用いることができる。
【００２３】
また、ケース本体１２は、蓋１３のロック／ロック解除を行うための開閉ボタン１２７を有する。開閉ボタン１２７はスナップフィットを有し、このスナップフィットが、蓋１３の内面縁部に内向きに形成された突起部と係合することにより蓋１３がロックされる。開閉ボタン１２７を押すことにより、突起部から離れる方向にスナップフィットが移動して、スナップフィットと突起部との係合（蓋１３のロック）が解除され、蓋１３を開けることができる（図３（Ａ）参照）。
【００２４】
さらに、ケース本体１２には、冷風扇風機１を首等に吊り下げるためのストラップ（不図示）を取り付けるためのストラップハンガー１２８が設けられている。
【００２５】
蓋１３は、冷却復路１２６を通過した空気を送風ファン１１により外部へ放出するための放出口１３０と、蓋１３の内部に設けられ、冷却復路１２６を通過した空気を放出口１３０から送風するための送風ファン１１を収容するファン収容室１３１と、を有する。
【００２６】
また、蓋１３は、送風ファン１１をオンオフするためのスイッチボタン１３２と、送風ファン１１を充電するためのＵＳＢコネクタ１３３と、をさらに有する。
【００２７】
上記構成の冷風扇風機１において、スイッチボタン１３２が操作されて、送風ファン１１がオンになると、図３（Ｂ）に示すように、空気（外気）が吸気口１２４から冷却往路１２５へ流れ込み、ケース本体１２の収容室１２０に収容された保冷具３によって冷却されながらケース本体１２の底面側へ導かれる。ケース本体１２の底面側へ導かれた空気は、金属製のメッシュ構造体により形成された冷却復路１２６に流入し、ケース本体１２の収容室１２０に収容された保冷具３によって効果的に冷却されながらケース本体１２の上部側へ導かれる。そして、ケース本体１２の上部側へ導かれた空気は、送風ファン１１により放出口１３０から外部へ放出される。
【００２８】
以上、本考案の第１実施の形態について説明した。
【００２９】
本実施の形態では、ケース本体１２の収容室１２０に収容された保冷具３の周囲に配置された冷却路１２１が、ケース本体１２の上部の吸気口１２４から始まり、ケース本体１２の底面を介して再びケース本体１２の上部に到達する。これにより、冷却路１２１をケース本体１２の高さより長くすることができるので、冷却路１２１を通過する空気を十分に冷却して送風ファン１１により外部へ放出することができる。
【００３０】
また、本実施の形態では、金属製のメッシュ構造体を配置することにより冷却復路１２６を形成しているので、ケース本体１２の収容室１２０に収容された保冷具３の放熱効果を高めることができ、これにより冷却復路１２６を通過する空気を効率的に冷却することができる。
【００３１】
さらに、本実施の形態では、ケース本体１２の内周面に、ライナーとして、周方向に交互に第１弾性部材１２２および第２弾性部材１２３を配置している。これにより、収容室１２０に収容された保冷具３の外径に合わせて収容室１２０が変形するので、異なる外径の保冷具３をガタツキなく収容室１２０に収容することができる。また、冷却復路１２６を形成する金属製のメッシュ構造体を第１弾性部材１２２の内壁に取り付けているので、ケース本体１２の収容室１２０に収容された保冷具３と冷却復路１２６を形成する金属製のメッシュ構造体とを密着させて保冷具３の放熱効果をより高めることができる。これにより、冷却復路１２６を通過する空気をより効率的に冷却することができる。
【００３２】
また、本実施の形態において、例えば凍結した飲料水入りペットボトルを保冷具３として冷風扇風機１に使用する場合、使用後にペットボトル内の飲料水を飲むことができる。
【００３３】
なお、本実施の形態では、冷却路１２１を構成する冷却往路１２５および冷却復路１２６のうち、冷却復路１２６にのみ金属製のメッシュ構造体を配置しているが、本考案はこれに限定されない。冷却往路１２５にも金属製のメッシュ構造体を配置してもよい。
【００３４】
また、本実施の形態では、冷却路１２１を一つとし、冷却復路１２６を複数としているが、本考案はこれに限定されない。冷却路１２１も複数設けてもよい。この場合、外部からすべての冷却路１２１に空気を取り込めるように吸気口１２４を形成する。
【００３５】
［第２実施の形態］
つぎに、本考案の第２実施の形態について説明する。
【００３６】
図４（Ａ）、図４（Ｂ）、および図４（Ｃ）は、本実施の形態に係る冷風扇風機２の上面図、正面図、および背面図である。また、図５（Ａ）は、図４（Ａ）に示す冷風扇風機２のＣ−Ｃ断面図であり、図５（Ｂ）は、図５（Ａ）に示す冷風扇風機２から送風ファン２１を省略した図であり、図５（Ｃ）は、図４（Ｂ）に示す冷風扇風機２のＤ−Ｄ断面図である。
【００３７】
本実施に係る冷風扇風機２は、氷嚢、保冷剤等のシート状あるいはプレート状の保冷具４（図６（Ｂ）参照）により冷却された空気を送風する据置型冷風扇風機であり、図示するように、保冷具４を複数収容するための箱型のケース２０と、保冷具４により冷却されたケース２０内の空気を外部へ放出するための充電式の送風ファン２１と、を備える。
【００３８】
ケース２０は、上部が開口した箱型のケース本体２２と、ヒンジ２４によってケース本体２２の開口を開閉可能に取り付けられた蓋２３（図６（Ａ）参照）と、を有する。
【００３９】
ケース本体２２は、複数の保冷具４を保冷具４の厚さ方向に並べて収容する収容室２２０と、収容室２２０に収容された複数の保冷具４各々の周囲に配置された冷却路２２１と、を有する。
【００４０】
収容室２２０の内部には、正面側の壁面２２２から背面側の壁面２２３へ向かって配置され、背面側の壁面２２３と接続することなく終端する第１仕切り壁２２６と、背面側の壁面２２３から正面側の壁面２２２へ向かって配置され、正面側の壁面２２２と接続することなく終端する第２仕切り壁２２７と、が交互に配置されている。右側面側の壁面２２４とこの壁面２２４に隣接する第１仕切り壁２２６との間、左側面側の壁面２２５とこの壁面２２５に隣接する第１仕切り壁２２６あるいは第２仕切り壁２２７（本実施の形態では第１仕切り壁２２６）との間、および隣接する第１仕切り壁２２６と第２仕切り壁２２７との間には、それぞれ、板状の保冷具４を収容する隙間が収容個室２２８として形成されている。
【００４１】
また、収容室２２０は、右側面側の壁面２２４、左側面側の壁面２２５、第１仕切り壁２２６の両面、および、第２仕切り壁２２７の両面にそれぞれ取り付けられた板状の弾性部材２２９を有する。これにより、収容個室２２８に収容された保冷具４の厚さに合わせて収容個室２２８が変形するので、異なる厚さの保冷具４をガタツキなく収容個室２２８に収容することができる。なお、弾性部材２２９には、第１実施の形態における第１弾性部材１２２および第２弾性部材１２３と同様に、例えばポリウレタンフォーム材（特に高反発ポリウレタンフォーム材）が用いられる。
【００４２】
冷却路２２１は、収容個室２２８に収容された保冷具４の両面に沿って正面側の壁面２２２から背面側の壁面２２３へ向けて空気を導く一対の冷却往路２３０と、収容個室２２８に収容された保冷具４の両面に沿って背面側の壁面２２３から正面側の壁面２２２へ向けて空気を導く一対の冷却復路２３１とが、保冷具４の並び方向に交互に配置され、隣接する一対の冷却往路２３０の排気側および一対の冷却復路２３１の吸気側間が接続されて構成されている。ここで、冷却往路２３０および冷却復路２３１は、第１実施の形態における冷却復路１２６と同様に、弾性部材２２９の壁面にアルミニウム、銅等の金属製のメッシュ構造体を配置することにより形成されている。
【００４３】
また、冷却路２２１は、ケース本体２２の正面の壁面に設けられた吸気口２３２を有している。吸気口２３２は、右側面側の壁面２２４とこの壁面２２４に隣接する第１仕切り壁２２６との間に形成された収容個室２２８（最上流の収容個室２２８）に対応する位置に設けられ、最上流の収容個室２２８に配置された一対の冷却往路２３０の吸気側に、外部から空気が取り込まれる。
【００４４】
また、ケース本体２２は、蓋２３のロック／ロック解除を行うための開閉ボタン２３３を有する。開閉ボタン２３３はスナップフィットを有し、このスナップフィットが、蓋２３の内面縁部に内向きに形成された突起部（不図示）と係合することにより蓋２３がロックされる。開閉ボタン２３３を押すことで、突起部から離れる方向にスナップフィットが移動してスナップフィットと突起部との係合（蓋２３のロック）が解除され、蓋２３を開けることができる（図６（Ａ）参照）。
【００４５】
蓋２３は、左側面側の壁面２２５とこの壁面２２５に隣接する第１仕切り壁２２６あるいは第２仕切り壁２２７（本実施の形態では第１仕切り壁２２６）との間に形成された収容個室２２８（最下流の収容個室２２８）に配置された一対の冷却往路２３０あるいは一対の冷却復路２３１（本実施の形態では一対の冷却復路２３１）の排気側に設けられた放出口２３４と、収容室２２０内の空気を放出口２３４から放出するための送風ファン２１を蓋２３内に収容するファン収容室２３５と、を有する。送風ファン２１により、一対の冷却往路２３０と一対の冷却復路２３１とが交互に配置されて形成された冷却路２２１を通過した空気が外部へ放出される。
【００４６】
また、蓋２３は、送風ファン２１をオンオフするためのスイッチボタン２３６と、送風ファン２１を充電するためのＵＳＢコネクタ２３７と、冷風扇風機２を持ち運ぶための取っ手２３８と、をさらに有する。
【００４７】
上記構成の冷風扇風機２において、スイッチボタン２３６が操作されて、送風ファン２１がオンになると、図６（Ｂ）に示すように、空気（外気）が、吸気口２３２から最上流の収容個室２２８に配置された一対の冷却往路２３０へ流れ込み、この収容個室２２８に収容された保冷具４によって冷却されながら、最上流の収容個室２２８に隣接する収容個室２２８に配置された一対の冷却復路２３１へ流れ込む。そして、この隣接する収容個室２２８に収容された保冷具４によって冷却されながら、この収容個室２２８とさらに隣接する収容個室２２８があるならば、このさらに隣接する収容個室２２８に配置された一対の冷却往路２３０へ流れ込む。これを繰り返すことにより、吸気口２３２から流れ込んだ空気が、正面側の壁面２２２と背面側の壁面２２３との間を複数回往復しながら、冷却往路２３０および冷却復路２３１を構成する金属製のメッシュ構造体によって効果的に冷却され、最終的に、最下流の収容個室２２８に配置された一対の冷却往路２３０あるいは一対の冷却復路２３１（本実施の形態では一対の冷却復路２３１）から放出される。そして、送風ファン２１により放出口２３４から外部へ放出される。
【００４８】
以上、本考案の第２実施の形態について説明した。
【００４９】
本実施の形態では、厚さ方向に並べて収容された複数の保冷具４各々の周囲に配置された冷却路２２１が、ケース本体２２内部で正面側の壁面２２２と背面側の壁面２２３との間を複数回往復することにより、この冷却路２２１をケース本体２２の幅より長くすることができるので、冷却路２２１を通過する空気を十分に冷却して送風ファン２１により外部へ放出することができる。
【００５０】
また、本実施の形態では、金属製のメッシュ構造体を配置することにより冷却路２２１を形成しているので、ケース本体２２の収容室２２０の収容個室２２８にそれぞれ収容された保冷具４の放熱効果を高めることができ、これにより冷却路２２１を通過する空気を効率的に冷却することができる。
【００５１】
さらに、本実施の形態では、ケース本体２２の収容室２２０の収容個室２２８のライナーとして弾性部材２２９を設けている。これにより、収容個室２２８に収容された保冷具４の厚さに合わせて収容個室２２８が変形するので、異なる厚さの保冷具４をガタツキなく収容個室２２８に収容することができる。また、冷却路２２１（冷却往路２３０および冷却復路２３１）を形成する金属製のメッシュ構造体を弾性部材２２９の壁面に取り付けているので、収容個室２２８に収容された保冷具４と冷却路２２１を形成する金属製のメッシュ構造体との密着度を上げて保冷具４の放熱効果をより高めることができ、これにより、冷却路２２１を通過する空気をより効率的に冷却することができる。
【００５２】
なお、本実施の形態おいて、ケース本体２０の収容室２２０の底面に、収容個室２２８に収容された保冷具４の幅方向（壁面２２２、２２３の一方から他方に向かう方向）の移動を拘束する機構（保冷具４の幅方向の両端部側に設けられ、保冷具４より低い高さの突起部あるいは仕切り板、または、保冷具４が装着される溝等）を設けてもよい。このようにすることにより、保冷具４の幅方向のガタツキをより効果的に防止することができる。
【００５３】
なお、本考案は上記の各実施の形態に限定されるものではなく、その要旨の範囲内で数々の変形が可能である。例えば、上記の各実施の形態では、受電式の送風ファン１１、２１を用いているが、乾電池式の送風ファンでもよい。
【符号の説明】
【００５４】
１、２：冷風扇風機    １０、２０：ケース
１１、２１：送風ファン    １２、２２：ケース本体
１３、２３：蓋    １４、２４：ヒンジ
１２０、２２０：収容室    １２１、２２１：冷却路
１２２：第１弾性部材    １２３：第２弾性部材
１２４、２３２：吸気口    １２５、２３０：冷却往路
１２６、２３１：冷却復路    １２７、２３３：開閉ボタン
１２８：ストラップハンガー    １３０、２３４：放出口
１３１、２３５：ファン収容室    １３２、２３６：スイッチボタン
１３３、２３７：ＵＳＢコネクタ
２２２：収容室２２０の正面側の壁面
２２３：収容室２２０の背面側の壁面
２２４：収容室２２０の右側面側の壁面
２２５：収容室２２０の左側面側の壁面    ２２６：第１仕切り壁
２２７：第２仕切り壁    ２２８：収容個室    ２２９：弾性部材
２３８：取っ手
【図１】
0003234243.tif 000003
【図２】
0003234243.tif 000004
【図３】
0003234243.tif 000005
【図４】
0003234243.tif 000006
【図５】
0003234243.tif 000007
【図６】
0003234243.tif 000008